【手続補正書】
【提出日】令和3年4月7日(2021.4.7)
【手続補正１】
【補正対象書類名】明細書
【補正対象項目名】００３３
【補正方法】変更
【補正の内容】
【００３３】
図２及び図３に示すように、平面視において、テープ部材６０は、粘着部７０と本体部２０の外縁との間に配置されている。本実施の形態のテープ部材６０は、粘着部の後端縁と、本体部の後端縁と、の間に配置されている。図２に示すように、テープ部材６０は、固定領域６１側に位置する一端６０Ａと、非固定領域６４側の他端６０Ｂと、一端６０Ａから他端６０Ｂに向かって延びる一対の側縁６０Ｃと、を有する。テープ部材６０は、テープ部材６０の一端６０Ａ側から他端６０Ｂ側に向かう第１方向Ｄ１と、第１方向Ｄ１と直交する第２方向Ｄ２と、を有してよい。テープ部材６０の一端６０Ａは、テープ部材６０の長手方向における一端であってよい。本実施の形態の第１方向Ｄ１は、テープ部材６０の長手方向に沿っており、吸収性物品１０の前後方向Ｌに沿っている。他の形態において、テープ部材６０の一端６０Ａは、テープ部材６０の短手方向における一端であってよい。また、他の形態において、第１方向Ｄ１は、テープ部材６０の幅方向に沿い、吸収性物品の幅方向に沿ってよい。なお、第１方向Ｄ１は、テープ部材６０を操作時に引き出す方向であってよい。よって、テープ部材６０の第１方向Ｄ１の長さは、テープ部材６０の第２方向Ｄ２の長さよりも長くてよい。
【手続補正２】
【補正対象書類名】明細書
【補正対象項目名】００３５
【補正方法】変更
【補正の内容】
【００３５】
非固定領域６４は、本体部２０に固定されていなく、かつ伸長方向に伸長可能に構成されている。非固定領域６４の伸長方向は、第１方向Ｄ１であってもよいし、第２方向Ｄ２であってもよい。本実施の形態の非固定領域６４の伸長方向は、第１方向Ｄ１であり、固定領域６１を基点に固定領域６１から離れる方向に伸長可能である。使用者がテープ部材を引っ張ることによって、テープ部材が本体部２０の外縁よりも外側に延出してよい。ここで、「伸長」とは、「弾性変形」又は「塑性変形」による伸長を含む。一例として、テープ部材６０は、伸縮性シート、フィルムから構成されていてよい。非固定領域６４は、本体部２０の粘着部７０に対して止着可能に構成されている。非固定領域６４は、使用者がテープ部材６０を操作する部分である。より詳細には、使用者は、テープ部材６０を使用する際に、非固定領域６４を把持して固定領域６１を基点にして非固定領域６４を折り返したり、非固定領域６４を第１方向Ｄ１に伸長したりして、非固定領域６４を本体部２０に止着する。非固定領域６４の少なくとも一部は、使用者が把持可能な把持部を構成する。把持部は、非固定領域６４全域であってもよいし、非固定領域６４のうち、固定領域６１とは反対側の一端側に設けられていてもよい。
【手続補正３】
【補正対象書類名】明細書
【補正対象項目名】００３６
【補正方法】変更
【補正の内容】
【００３６】
テープ部材６０は、本体部２０に剥離可能に接合された仮固定領域（図示せず）を有してもよい。仮固定領域は、テープ部材６０の使用時（吸収性物品の廃棄時）に裏面シート２２から剥がれるように構成されている。仮固定領域は、テープ部材６０の使用前（吸収性物品１０の使用時）に裏面シート２２から剥がれないことが好ましい。仮固定領域を設けることにより、テープ部材６０の使用前（製造時、着用時）に非固定領域６４が捲れたり、非固定領域６４が折れたりすることを抑制できる。仮固定領域は、第１方向に固定領域６１及び非固定領域６４に隣接してよく、固定領域６１よりも他端６０Ｂ側かつ非固定領域６４よりも一端側に配置されてよい。
【手続補正４】
【補正対象書類名】明細書
【補正対象項目名】００３７
【補正方法】変更
【補正の内容】
【００３７】
仮固定領域におけるテープ部材６０と裏面シート２２の接合強度は、固定領域６１におけるテープ部材６０と裏面シート２２の接合強度よりも低くてよい。仮固定領域の接合力が固定領域６１の接合力よりも低いため、使用者は、テープ部材６０の使用時に容易に仮固定領域を剥がし、非固定領域６４を掴んでテープ部材６０を操作することができる。固定領域６１及び仮固定領域の接合手段としては、接着剤、エンボス加工、熱溶着、超音波溶着を例示できる。固定領域６１及び仮固定領域は、本体部２０の外縁のエンボスによって構成されていてもよい。
【手続補正５】
【補正対象書類名】明細書
【補正対象項目名】００４１
【補正方法】変更
【補正の内容】
【００４１】
次いで、このように構成された吸収性物品の使用態様の一例について説明する。使用者が吸収性物品１０を使用する際は、包装シート８０を展開し、本体部２０の粘着部７０と包装シート８０を剥離させる。これにより、本体部２０の粘着部７０が露出する。また、テープ部材６０は、固定領域６１を介して裏面シート２２に接合されている。次いで、下着などの着用物品に粘着部７０を止め、吸収性物品１０を使用する。吸収性物品１０の使用後に、本体部２０を着用物品から引き剥がす。吸収性物品１０の肌対向面を内側にして、吸収性物品１０の前端縁側（テープ部材が配置されていない側）から吸収性物品１０を丸める。テープ部材６０の非固定領域６４を把持し、固定領域６１を基点に非固定領域６４を折り返し、かつ非固定領域６４を伸長させることにより、テープ部材６０の少なくとも一部が本体部２０の外縁よりも外側に延出する。テープ部材６０の第２層６６を粘着部７０等に止着することによって、吸収性物品１０を丸めた状態に維持することがで
きる。
【手続補正６】
【補正対象書類名】明細書
【補正対象項目名】００５３
【補正方法】変更
【補正の内容】
【００５３】
本実施の形態のテープ部材６０は、固定領域６１を基点に非固定領域６４が折り返されることにより、非固定領域６４の少なくとも一部が本体部２０の外縁よりも外側に延出する。テープ部材６０は、折り返されていない状態において、本体部２０の外縁よりも内側に配置されてもよい。テープ部材６０は、肌対向面側から見ると、本体部２０に隠れた状態であってもよい。
【手続補正７】
【補正対象書類名】明細書
【補正対象項目名】００５４
【補正方法】変更
【補正の内容】
【００５４】
本実施の形態のテープ部材６０は、伸長可能に構成されており、自然状態において、本体部２０の外縁よりも内側に配置されている。更に別の例として、テープ部材は、Ｚ型に折り畳まれたシートから構成されていてもよい。この場合、使用者がテープ部材６０の先端を引っ張ることによって、折り畳まれたテープ部材６０が展開され、これによりテープ部材６０が本体部２０の外縁よりも外側に延出する。
【手続補正８】
【補正対象書類名】明細書
【補正対象項目名】００５５
【補正方法】変更
【補正の内容】
【００５５】
このような構成によれば、吸収性物品１０の使用中においては、テープ部材６０は、裏面シート２２の非肌対向面側で本体部２０の外縁よりも内側に配置されているため、経血のような体液が付されない。使用者は、吸収性物品１０の使用後に、外側に延出させたテープ部材６０を粘着部７０等に止着することによって、吸収性物品１０を丸めた状態に維持することができる。ここで、テープ部材６０に経血のような体液が付着しないため、テープ部材６０と粘着部７０との接合力の低下、又はテープ部材６０の止着手段の接合力の低下を防止することができる。
【手続補正９】
【補正対象書類名】明細書
【補正対象項目名】００５６
【補正方法】変更
【補正の内容】
【００５６】
さらに、吸収性物品１０の使用中においては、テープ部材６０は、裏面シート２２の非肌対向面側に設けられ、本体部２０の外縁より外側へ延びていないため、テープ部材６０は、着用者の肌に直接当たらない。したがって、使用中の違和感や不快感を低減することができる。